(57)【要約】  複数の品物を収容するためのカートン（５）、およびかかるカートンを形成するためのブランク（３）。該カートンは、カートンの内部周辺に少なくとも部分的に延在するパネルを有する。該パネルはトップパネル（１０、４６）、ボトムパネル（３０）、第１のサイドパネル（２０）、および第２のサイドパネル（４０）を備える。少なくとも２つの終端フラップ（１２、３２、４８）は、複数のパネルのそれぞれのパネルにそれぞれ折り曲げ可能に取り付けられる。終端フラップは、少なくとも部分的に、カートンの閉口端を形成する。ディスペンサー（７）は、カートン内の品物にアクセス可能であり、カートンの切り取り線（８９）により少なくとも部分的に画定されるディスペンサーパネル（８７）を含む。ディスペンサーパネルは、閉口端（５１）のディスペンサー開口部を少なくともさらに広げるために、部分的に取り除かれるためのものである。カートンの閉口端は、カートンの内部に向かって内方に傾斜する端壁（８１）を備える。
2009523663.tif 000002
【特許請求の範囲】
【請求項１】
複数の容器を収容するカートンであって、
前記カートン内部周辺に少なくとも部分的に延在する複数のパネルであって、トップパネルと、
前記カートンの向かい合う終端を、それぞれ少なくとも部分的に閉じる、向かい合う第１および第２の終端パネルと、
前記第２の終端パネルに配置され、前記カートンを運ぶ際に使用するためのハンドルと、を含む複数のパネル
を備え、
前記第１の終端パネルの少なくとも一部は、前記トップパネルから第１の角度で下方へ延在し、前記第１の終端パネルの上部縁と、前記第１の終端パネルの前記上部縁に隣接する前記複数の容器の上部との間に第１の距離が画定されていて、
前記第２の終端パネルの少なくとも一部は、前記トップパネルから第２の角度で下方へ延在し、前記第２の終端パネルの上部縁と、前記第２の終端パネルの前記上部縁に隣接する、前記複数の容器のうちの隣接する容器の上部との間で第２の距離が画定され、
前記第２の角度は前記第１の角度よりも小さく、前記第２の距離は前記第１の距離よりも大きく、
前記ハンドルと、前記ハンドルに隣接する前記複数の容器のうちの少なくとも１つの容器との間である距離が画定され、前記ハンドルと、前記少なくとも１つの隣接する容器との間の前記距離は、前記ハンドルの使用の容易さを促進するためのものである、カートン。
【請求項２】
前記ハンドルと、前記少なくとも１つの隣接する容器との間の前記距離は、前記第２の終端パネルの前記上部縁と、前記第２の終端パネルの前記上部縁に隣接する前記容器の上部との間で画定される、前記第２の距離にほぼ等しい、請求項１に記載の複数の容器を収容するカートン。
【請求項３】
前記第１の角度が鈍角であり、
前記第２の角度が実質的に９０度であり、
前記複数のパネルがボトムパネルを含み、
前記第１の終端パネルが複数の第１のフラップを備え、
鋭角を、前記少なくとも１つの第１のフラップと、前記ボトムパネルとの間で確定するように、前記複数の第１のフラップのうちの少なくとも１つの第１のフラップは、前記ボトムパネルから前方へ延在し、
前記第２の終端パネルが複数の第２のフラップを備え、
実質的に９０度である角度を、前記少なくとも１つの第２のフラップと、前記ボトムパネルとの間で画定するように、前記複数の第２のフラップのうちの少なくとも１つの第２のフラップが、前記ボトムパネルから前方へ延在する、
請求項１に記載の複数の容器を収容するカートン。
【請求項４】
複数の品物を収容するカートンであって、
前記カートンの内部周辺に少なくとも部分的に延在する複数のパネルであって、トップパネルと、ボトムパネルと、第１のサイドパネルと、第２のサイドパネルと、を備える複数のパネルと、
前記複数のパネルのそれぞれのパネルにそれぞれ折り曲げ可能に取り付けられる、少なくとも２つの終端フラップであって、少なくとも部分的に前記カートンの閉口端を形成する終端フラップと、
前記カートン内の前記品物にアクセスすることができるディスペンサーであって、前記カートンの切り取り線により少なくとも部分的に画定され、前記閉口端のディスペンサー開口部を少なくともさらに広げるために、少なくとも部分的に取り除かれるためのディスペンサーパネルを備える、ディスペンサーと、を備え、
前記カートンの前記閉口端は、前記カートンの前記内部に向かって内側に曲がる端壁を備える、カートン。
【請求項５】
前記カートンの前記閉口端が上部および下部を有する端壁を備え、前記下部が第１の角度で前記カートンの前記内部に向かって内側に曲がり、前記上部が第２の角度で前記カートンの前記内部へ向かって内側に曲がる、請求項４に記載のカートン。
【請求項６】
前記第２の角度が前記第１の角度よりも大きい、請求項５に記載のカートン。
【請求項７】
前記終端が第１の終端であり、
前記終端フラップが、それぞれ互いに重なり合って前記第１の閉口端を形成する第１の終端フラップであり、
前記カートンが、それぞれ互いに重なり合って前記カートンの第２の閉口端を形成する前記複数のパネルのうち、それぞれのパネルにそれぞれ折り曲げ可能に取り付けられる少なくとも２つの第２の終端フラップをさらに備える、請求項４に記載のカートン。
【請求項８】
前記第２の閉口端が、前記カートンの前記ボトムパネルに実質的に垂直である端壁を備える、請求項７に記載のカートン。
【請求項９】
前記カートンを掴み運ぶためのハンドルをさらに備え、前記ハンドルが、前記第２の終端フラップの少なくとも１つへ折り曲げ可能に取り付けられるハンドルフラップを備える、請求項８に記載のカートン。
【請求項１０】
前記少なくとも２つの第２の終端フラップは、前記トップパネルへ折り曲げ可能に取り付けられるトップ終端フラップと、前記第１のサイドパネルへ折り曲げ可能に取り付けられる第１のサイド終端フラップと、前記第２のサイドパネルへ折り曲げ可能に取り付けられる第２のサイド終端フラップとを備え、前記ハンドルフラップは、前記トップ終端パネルに取り付けられる主要ハンドルパネルフラップである、請求項９に記載のカートン。
【請求項１１】
前記ハンドルは、前記第１のサイド終端フラップへ折り曲げ可能に取り付けられる第１の補助ハンドルフラップと、前記第２のサイド終端フラップへ折り曲げ可能に取り付けられる第２の補助ハンドルフラップと、を備える、請求項１０に記載のカートン。
【請求項１２】
前記トップパネルは、第１のトップパネルであり、前記トップ終端フラップは、第１のトップ終端フラップであり、前記複数のパネルは、第２のトップパネルを備え、前記少なくとも２つの第２の終端フラップは、前記第２のトップパネルへ折り曲げ可能に取り付けられる第２のトップ終端フラップを備え、前記ハンドルは、前記第２のトップパネルへ折り曲げ可能に取り付けられる強化パネルを備える、請求項１１に記載のカートン。
【請求項１３】
前記切り取り線は、前記第１および第２のサイドパネルとの間に延在する前記トップパネルの第１の部分と、前記第１のサイドパネルの第２の部分と、前記第２のサイドパネルの第３の部分と、を備え、前記切り取り線の前記第２および第３の部分のうちの少なくとも１つが、前記トップパネルに対して傾斜している、請求項４に記載のカートン。
【請求項１４】
前記切り取り線は、少なくとも２つの終端フラップのうちの１つに第４の部分と、少なくとも２つの終端フラップのうちの他方に第５の部分と、を備える、請求項１３に記載のカートン。
【請求項１５】
前記ディスペンサーパネルは、前記ディスペンサーパネルを掴み、前記ディスペンサーを広げるために、前記トップパネルへ折り曲げ可能に取り付けられるフィンガータブを備える、請求項４に記載のカートン。
【請求項１６】
複数の品物と組み合わせた、請求項４に記載のカートンであって、前記複数の品物は、前記ディスペンサーの前記ディスペンサー開口部を介し取り除くため、前記カートン内で垂直に配置されるボトルを備える、カートン。
【請求項１７】
前記トップパネルは前記ボトムパネルよりも狭い幅を有する、請求項４に記載のカートン。
【請求項１８】
前記トップパネルは前記ボトムパネルよりも短い長さを有する、請求項１７に記載のカートン。
【請求項１９】
前記第１のサイドパネルは、第１の下部へ折り曲げ可能に取り付けられる第１の上部を備え、前記第２のサイドパネルは、第２の下部へ折り曲げ可能に取り付けられる第２の上部を備える、請求項４に記載のカートン。
【請求項２０】
複数の品物を収容するカートンを形成するためのブランクであって、
トップパネルと、ボトムパネルと、第１のサイドパネルと、第２のサイドパネルと、を備える複数のパネルと、
前記複数のパネルのそれぞれのパネルにそれぞれ折り曲げ可能に取り付けられる少なくとも２つの終端フラップであって、前記ブランクから形成される前記カートンの閉口端を形成するための、前記終端フラップと、
前記ブランクの切り取り線により少なくとも部分的に画定され、前記ブランクから形成される前記カートンのディスペンサー開口部を少なくともさらに広げるために、少なくとも部分的に取り除かれるためのディスペンサーパネルと、を備え、
前記少なくとも２つの終端フラップは、前記ボトムパネルから前記トップパネルに内側へ曲がる端壁を形成するためのものである、ブランク。
【請求項２１】
前記少なくとも２つの終端フラップは、下部へ折り曲げ可能に取り付けられる上部をそれぞれ有し、前記下部は第１の角度で内側へ方向付けされており、前記上部は第２の角度で内側へ方向付けされている、請求項２０に記載のブランク。
【請求項２２】
前記第２の角度が第１の角度よりも大きい、請求項２１に記載のブランク。
【請求項２３】
前記終端は第１の終端であり、前記端壁は第１の端壁であり、
前記終端フラップは、前記ブランクから形成される前記カートンの前記第１の閉口端を形成するための第１の終端フラップであり、
前記ブランクは、前記ブランクから形成される前記カートンの第２の閉口端を形成するための前記複数のパネルのそれぞれのパネルに、それぞれ折り曲げ可能に取り付けられる少なくとも２つの第２の終端フラップをさらに備える、請求項２０に記載のブランク。
【請求項２４】
前記第２の終端フラップは、前記ボトムパネルに実質的に垂直である前記第２の終端で、閉口端壁を形成するためのものである、請求項２３に記載のブランク。
【請求項２５】
前記第２の終端フラップのうちの少なくとも１つへ折り曲げ可能に取り付けられるハンドルフラップをさらに備える、請求項２４に記載のブランク。
【請求項２６】
前記少なくとも２つの第２の終端フラップは、前記トップパネルへ折り曲げ可能に取り付けられるトップ終端フラップと、前記第１のサイドパネルへ折り曲げ可能に取り付けられる第１のサイド終端フラップと、前記第２のサイドパネルへ折り曲げ可能に取り付けられる第２のサイド終端フラップと、を備え、前記ハンドルフラップは、前記トップ終端パネルに取り付けられる主要ハンドルパネルフラップである、請求項２５に記載のブランク。
【請求項２７】
前記第１のサイド終端フラップへ折り曲げ可能に取り付けられる第１の補助ハンドルフラップと、前記第２のサイド終端フラップへ折り曲げ可能に取り付けられる第２の補助ハンドルフラップと、をさらに備える、請求項２６に記載のブランク。
【請求項２８】
前記トップパネルが第１のトップパネルであり、前記トップ終端フラップが第１のトップ終端フラップであり、前記複数のパネルが第２のトップパネルを備え、前記少なくとも２つの第２の終端フラップが、前記第２のトップパネルへ折り曲げ可能に取り付けられる第２のトップ終端フラップを備え、前記ブランクが前記第２のトップパネルへ折り曲げ可能に取り付けられるハンドル強化パネルをさらに備える、請求項２７に記載のブランク。
【請求項２９】
前記切り取り線は、前記第１および第２のサイドパネルとの間に延在する前記トップパネルに第１の部分と、前記第１のサイドパネルに第２部分と、前記第２のサイドパネルに第３の部分をと備え、前記切り取り線の前記第２および第３の部分のうちの少なくとも１つは、前記トップパネルに対し傾斜している、請求項２０に記載のブランク。
【請求項３０】
前記トップパネルは前記ボトムパネルよりも狭い幅を有する、請求項２０に記載のブランク。
【請求項３１】
前記トップパネルは前記ボトムパネルよりも短い長さを有する、請求項３０に記載のブランク。
【請求項３２】
前記第１のサイドパネルは、第１の下部へ折り曲げ可能に取り付けられる第１の上部を備え、前記第２のサイドパネルは、第２の下部へ折り曲げ可能に取り付けられる第２の上部を備える、請求項２０に記載のブランク。
【請求項３３】
複数の品物を収容するためのカートンであって、
前記カートンの内部周辺に少なくとも部分的に延在する複数のパネルと、
前記複数のパネルのそれぞれのパネルにそれぞれ折り曲げ可能に取り付けられる少なくとも２つの終端フラップであって、前記カートンの閉口端を少なくとも部分的に形成する、終端フラップと、
前記カートン内の前記品物にアクセスすることができるディスペンサーと、を備え、
前記カートンの前記閉口端は、前記カートンの前記内部に向かって内側へ曲がる端壁を備える、カートン。
【請求項３４】
複数の品物を収容するためのカートンを形成するためのブランクであって、
少なくともボトムパネルおよびトップパネルを備える複数のパネルと、
前記複数のパネルのそれぞれのパネルにそれぞれ折り曲げ可能に取り付けられる少なくとも２つの終端フラップであって、前記ブランクから形成される前記カートンの閉口端形成するための前記終端フラップと、
前記ブランクのディスペンサーパネルと、を備え、
前記少なくとも２つの終端フラップは、前記ボトムパネルから前記トップパネルへ内側に曲がる端壁を形成するためのものである、ブランク。
【発明の詳細な説明】
【関連出願の記述】
【０００１】
本願は米２００６年１月１２日付申請の米国仮特許出願第６０／７５８，３６５号に対し優先権を主張し、その全ての内容はここに参照されることで援用される。
【技術分野】
【０００２】
本発明は概して、飲料用容器またはその他品物の包装および販売を目的としたカートンに関する。より詳細には、本発明はカートンから品物を販売するためのディスペンサーを有するカートンに関する。
【背景技術】
【０００３】
取り出し機能部付きの梱包カートンは、過去に使用されてきた。多くのかかるカートンは、切り取り線により境界を画定されるディスペンサー部を提供することで、ディスペンサー開口部を形成することを可能とする。ディスペンサー部は、カートンから全体的にまたは部分的に分離し、カートンから取り除くことができる開口部を形成することができる。しかしながら、多くの従来のディスペンサー開口部は、ディスペンサーパネルを外した後、取り外し式ディスペンサーパネルにより、カートンが容易に運ばれることを防ぐように配置される。
【発明の開示】
【０００４】
概して、本発明の一態様は、複数の容器を収容するカートンに関する。該カートンはカートンの内部の少なくとも部分的に延在する複数のパネルを備え、複数のパネルは少なくともトップパネルを含む。向かい合う第１および第２の終端パネルはそれぞれ、カートンの向かい合う終端を少なくとも部分的に閉じる。ハンドルは第２の終端パネルに配置され、カートンを運ぶ際に使用される。第１の距離を第１の終端パネルの上部縁、および第１の終端パネルの上部縁に隣接する複数の容器の上部との間で画定するように、第１の終端パネルの少なくとも一部は、第１の角度でトップパネルから後方へ延在する。第２の距離を第２の終端パネルの上部縁、および第２の終端パネルの上部縁に隣接する複数の容器の上部との間で画定するように、第２の終端パネルの少なくとも一部は、第２の角度でトップパネルから後方へ延在する。第２の距離は第１の距離よりも長く、距離をハンドル、およびハンドルに隣接する複数の容器のうちの少なくとも１つの容器との間で画定するように、第２の角度は第１の角度よりも小さい。ハンドルおよび少なくとも１つの隣接する容器との間の距離は、ハンドルの使用の容易さを促進するためのものである。
【０００５】
別の態様では、本発明は概して、複数の品物を収容するためのカートンに関する。該カートンはカートン内部に部分的に延在するパネルを備え、該パネルはトップパネル、ボトムパネル、第１のサイドパネル、および第２のサイドパネルを備える。少なくとも２つの終端フラップは、複数のパネルのそれぞれのパネルにそれぞれ折り曲げ可能に取り付けられ、終端フラップはカートンの閉口端を少なくとも部分的に形成する。ディスペンサーはカートン内の品物へのアクセスを可能とする。ディスペンサーはカートンの切り取り線により、少なくとも部分的に画定されるディスペンサーパネルを備え、閉口端でディスペンサー開口部を少なくともさらに広げるため、少なくとも部分的に取り除かれる。カートンの閉口端はカートンの内部に向かって内側に曲がる端壁を備える。
【０００６】
別の態様では、本発明は概して、複数の品物を収容するためのカートンを形成するためのブランクに関する。該ブランクは、トップパネル、ボトムパネル、第１のサイドパネル、および第２のサイドパネルを備える複数のパネルを備える。少なくとも２つの終端フラップは、複数のパネルのそれぞれのパネルにそれぞれ折り曲げ可能に取り付けられる。終端フラップは、ブランクから形成されるカートンの閉口端を形成するためのものである。ディスペンサーパネルは、ブランクの切り取り線により少なくとも部分的に画定され、ブランクから形成されるカートンのディスペンサー開口部を少なくともさらに広げるため、少なくとも部分的に取り除かれる。少なくとも２つの終端フラップは、ボトムパネルからトップパネルへ内側に曲がる端壁を形成するためのものである。
【０００７】
別の態様では、本発明は概して、複数の品物を収容するためのカートンに関する。該カートンはカートンの内部周辺で、少なくとも部分的に延在する複数のパネルを備える。少なくとも２つの終端フラップは、複数のパネルのそれぞれのパネルにそれぞれ折り曲げ可能に取り付けられる。終端フラップは、カートンの閉口端を少なくとも部分的に形成する。ディスペンサーは、カートン内の品物へのアクセスを可能とするためのものである。カートンの閉口端は、カートンの内部に向かって内側に曲がる端壁を備える。
【０００８】
別の態様では、本発明は概して、複数の品物を収容するためカートンを形成するためのブランクに関する。該ブランクは少なくともボトムパネルおよびトップパネルを備える複数のパネルを備える。少なくとも２つの終端フラップは、複数のパネルのそれぞれのパネルにそれぞれ折り曲げ可能に取り付けられる。終端フラップは、ブランクから形成されるカートンの閉口端を形成するためのものである。ディスペンサーパネルは、ブランク内にある。少なくとも２つの終端フラップは、ボトムパネルからトップパネルへ内側に曲がる端壁を形成するためのものである。
【０００９】
本発明のその他の態様、機能、および詳細は、図面と併せて典型的実施形態の以下の詳細な説明を参照することで、および添付の請求項からより完全に理解することができる。
【００１０】
当業者は、下記に列挙される図面を参照して以下の実施形態の詳細な説明を読むことで、上述した利点およびその他の利点、ならびに様々なさらなる実施形態の利点を理解する。さらに、以下に説明される図面の様々な形態は正確な縮尺度でない場合もある。図面の様々な形態および要素の寸法は、本発明の実施形態をより明確に例示するために拡大または縮小されている。
【発明を実施するための最良の形態】
【００１１】
本発明は概して、例えば、容器、ボトル、カン等の品物を収容するカートン用機能部の開封、販売、取り扱いに関する。該品物は、例えば食品や飲料製品を包装するために使用することができる。該品物は特定の食品または飲料品の包装に適する素材から製造されるが、その素材は、ガラス、アルミニウムおよび／または他の金属、ＰＥＴ、ＬＤＰＥ、ＬＬＤＰＥ、ＨＤＰＥ、ＰＰ、ＰＳ、ＰＶＣ、ＥＶＯＨ、およびナイロンなどのプラスチックなど、あるいはそれらを組み合わせたものを含むが、これらに限らない。
【００１２】
本発明によるカートンは、いかなる形態の品物も構想可能である。例示を目的として提供されるものであって、発明の範囲を限定するものではないが、次の詳細な説明ではカートンの実施形態の中に配列されるような飲料用容器（例、飲料用ガラスボトル）を説明する。本明細書において、「下部」、「ボトム」、「上部」、および「トップ」という用語は完全に組み立てられ、垂直状態にあるカートンに関連して決定される方向をさす。
全ての図面において、対応する部品は対応する参照番号によって図示されている。
【００１３】
図１は、本発明の典型的実施形態に従い、カートン５（図２）を形成するために使用されるブランクの外面１の平面図であり、概して３と示されている。カートン５は、容器Ｃ（図５）などの複数の品物を収納するために使用することができる。カートン５は、容器Ｃにアクセスできるようにカートンに形成される、概して７（図２）と図示されるディスペンサーを有する。例示された実施形態において、容器Ｃは幅広ボトムＢ（図５）、およびキャップＣＰを含む細いトップＴを有するボトルである。例示された実施形態において、カートン５は３×５の単一層の配列で１２の容器Ｃを収納できるように採寸されているが、カートン５が異なる数量または同数量の容器を単一層以上および／または異なる列／段（例、１×６、３×６、２×６、２×６×２、３×４×２、２×９、３×４等）の配列で収納できるように採寸ならびに加工できることを考慮する。例示された実施形態において、カートン５は概して、１１（図４）と図示されるカートンを掴み運ぶためのハンドルを含む。
【００１４】
ブランク３は縦軸Ｌ１および横軸Ｌ２を有する。例示された実施形態において、ブランク３は、第１の横の折り線２１で第１のサイドパネル２０へ折り曲げ可能に接続される第１のトップパネル１０、第２の横の折り線３１で第１のサイドパネル２０へ折り曲げ可能に接続されるボトムパネル３０、第３の横の折り線４１でボトムパネル３０へ折り曲げ可能に接続される第２のサイドパネル４０、および第４の横の折り線４７で第２のサイドパネル４０へ折り曲げ可能に接続される第２のトップパネル４６を備える。
【００１５】
第１のトップパネル１０は、第１のトップ終端フラップ１２および第２のトップ終端フラップ１４へ折り曲げ可能に接続される。第１のサイドパネル２０は、第１のサイドフラップ２２および第２のサイドフラップ２４へ折り曲げ可能に接続される。ボトムパネル３０は、第１のボトム終端フラップ３２および第２のボトム終端フラップ３４へ折り曲げ可能に接続される。第２のサイドパネル４０は、第１のサイドフラップ４２および第２のサイドフラップ４４へ折り曲げ可能に接続される。第２のトップパネル４６は、第１のトップ終端フラップ４８および第２のトップ終端フラップ５０へ折り曲げ可能に接続される。カートン５を組み立てる際、終端フラップ１２、３２、４８、ならびにサイドフラップ２２および４２はカートンの第１の終端５１を閉じ、終端フラップ１４、３４、５０、ならびにサイドフラップ２４および４４はカートンの第２の終端５３を閉じる。本発明の代替実施形態に従い、カートン５の終端５１、５３を閉じるために、異なったフラップの配置を使用することができる。
【００１６】
終端フラップ１２、３２、および４８、ならびにサイドフラップ２２および４２は、ブランク１の第１の周縁域に沿って延び、ブランクの縦方向に沿って延在する縦の折り線６２で折り曲げ可能に接続する。終端フラップ１４、３４、および５０、ならびにサイドフラップ２４および４４は、ブランク１の第２の周縁域に沿って延在し、同様にブランクの縦方向に沿って延在する第２の縦の折り線６４で折り曲げ可能に接続する。縦の折り線６２、６４は、例えば、実質上真っ直ぐであるか、またはブランクの厚みやその他の要因を考慮して１つ以上の部位で位置がずれる。
【００１７】
ブランク３は、サイドフラップ２２、第１のサイドパネル２０、およびサイドフラップ２４全体に延在する横の折り線６１を有するようになっており、これらのフラップおよびパネル各々は折り線６１に沿って折り畳まれ、下部（それぞれ２２ｂ、２０ｂ、２４ｂと図示）へ折り曲げ可能に取り付けられる上部（それぞれ２２ａ、２０ａ、２４ａと図示）を有してもよい。横の折り線６３はサイドフラップ４２、第２の終端パネル４０、およびサイドフラップ４４全体に延在するようになっており、これらのフラップおよびパネル各々折り線２６３に沿って折り畳まれ、下部（それぞれ４２ｂ、４０ｂ、４４ｂと図示）へ折り曲げ可能に取り付けられる上部（それぞれ４２ａ、４０ａ、４４ａと図示）を有してもよい。
【００１８】
ブランク３は概して７０と図示される、カートン５の第１の終端５１にダイヤモンド形コーナーを含む。該コーナー７０により、サイドパネル２０、４０、および終端パネル２２、４２を、カートン２０５内部に向かって内側に曲げることができる。図１の通り、各ダイヤモンド形コーナー７０は、縦の折り線６２から間隔の空いた対向するＶ形折り線７３、７５を備え、Ｖ形折り線７３、７５は各々横断折り線６１、６３に接続されている。
【００１９】
例示された実施形態において、重なり合うサイド終端フラップ２２、４２、トップ終端フラップ１２、４８、およびボトム終端フラップ３２は、カートンの端壁８１を形成する。端壁８１は、サイド終端フラップ２２、４２の上部２２ａ、４２ａに接着される、重なり合い、接着されたトップ終端フラップ１２、４８により形成される上部８１を含む。端壁８１は、サイド終端フラップ２２、４２の下部２２ｂ、４２ｂに、折り重なり接着するボトム終端フラップ３２により形成される下部８１ｂを含む。図５の通り、端壁の下部８１ｂは、第１の角度Ａ１でカートン５内部に向かって傾斜され、端壁の上部は、第２の角度Ａ２でカートン内部に向かって傾斜する。この傾斜は、水平方向に延在するトップおよびボトムパネル１０、３０に対し垂直に延在する基準となる垂直の軸に対するものである。例示された実施形態において、第１の角度Ａ１は第２の角度Ａ２よりも大きいが、その他の実施形態において、両角度は等しくてもよいか、または第２の角度は本発明から逸脱することなく、第１の角度よりも小さくてもよい。一実施形態において、第１の角度Ａ１は少なくとも約０〜１５度の範囲内であり、より好ましくは約８度であり、第２の角度Ａ２は少なくとも約０〜１０度の範囲内であり、より好ましくは約３度である。端壁８１は、カートン５の内部に向かって内側に方向付けされるようになっており、ボトルＢの底部は端壁の下部８１ｂに接触するか、または近接し、ボトルのキャップＣＰは端壁の上部８１に接触するか、または近接する。この配置は、カートン５内のボトルＢの固定に役立つ。
【００２０】
ブランク３は概して７２と図示される、カートン５の第２の終端５３に２つのダイヤモンド形コーナーを含む。コーナー７２はそれぞれ第１のサイドパネル２０および第２のサイドパネル４０に形成される。コーナー７２は、縦の折り線６４と協働して、第１および第２のサイドフラップ２２、４４を、第１のサイドパネル２０および第２のサイドパネル４０にそれぞれ折り曲げ可能に接続する。例示された実施形態において、各ダイヤモンド形コーナー７２は、各ダイヤモンド形コーナーの先の尖った部分で縦の折り線６４に接続する、対向するＶ形折り線７４、７６を備える。折り線６１、６３はそれぞれ、コーナー７２のＶ形折り線７４、７６に接続している。
【００２１】
例示された実施形態において、重なり合うサイド終端フラップ２４、４４、トップ終端フラップ１４、５０、およびボトム終端フラップ３４は、カートンの端壁８３を形成する。図５の通り、端壁８３は概して、カートン５のボトムパネル３０およびトップパネル１０、４６と垂直である。端壁８３はカートン５の終端５３で、ボトルＢの底部に接触するか、または近接する。端壁８１と対照的に、端壁８３は、ハンドル１１の使用を有利に容易ならしめることができる距離Ｄ１（図５）をもって、ボトルＣのキャップＣＰおよび幅狭のトップ部分Ｔから間隔が空けられている。
【００２２】
ディスペンサー７（図２）は、概して８９と図示されている第１の切り取り線でブランク３に除去可能に取り付けられる第１のディスペンサーパネル８７（図１）、および概して９３と図示されている第２の切り取り線でブランクへ除去可能に取り付けられる第２のディスペンサーパネル９１（図１）を含む。図８の通り、第１のディスペンサーパネル８７および第２のディスペンサーパネル９１は、カートン５に開口部９５を形成するため、第１および第２の切り取り線８９、９３で組み立てられたカートン５から分離され、容器Ｃをカートンから取り出すことができる。例示された実施形態において、第１の切り取り線８９は、第２のトップパネル４６の第１部分１０１と、第２のトップパネル４６に対して傾斜しており第２のサイドパネル４０に存在する第２の部分１０３と、第２サイドパネルのダイヤモンド形コーナー７０全体に延在し、サイドフラップ４２全体に延在する第３部分１０５とを含む。第１のディスペンサーパネル８７は、第２のトップパネル４６内に湾曲した折り線１１４を含み、該湾曲した折り線１１４は切り取り線８９の第１の部分１０１と協働して、ディスペンサーパネル８７の上部縁でフィンガーパネル１１５を形成する。
【００２３】
第２の切り取り線９３は、第１のトップパネル１０に第１の部分１２１と、第１のトップパネルに対して傾斜していて第１のサイドパネル２０に存在する第２の部分１２３と、第１のサイドパネル２０のダイヤモンド形コーナー７０全体に延在し、サイドフラップ２２全体に延在する第３の部分１２７とを含む。また、第２のディスペンサーパネル９１は、第１のトップパネル１０内に湾曲した折り線１１６を含み、該湾曲した折り線１１６は、第２の切り取り線９３の第１の部分１２１と協働して、ディスペンサーパネル９１の上部縁でフィンガーパネル１１８を形成する。本発明の範囲を逸脱せずに、ディスペンサーパネル８７、９１は、その他の形態を備えることも可能であり、ブランク３のその他のパネルまたはサイド、および終端フラップを含むことも可能であることを理解されたい。
【００２４】
図１の通り、カートン５のハンドル１１は、第２のトップ終端フラップ１４に形成される主要ハンドルフラップ１３１、第２のサイド終端フラップ２４に形成される第１の補助ハンドルフラップ１３３、第２のサイド終端フラップ４４に形成される第２の補助ハンドルフラップ１３７、および折り線１４０で第２の終端フラップ５０へ折り曲げ可能に取り付けられる強化フラップ１３９を含む。主要ハンドルフラップ１３１は、縦の折り線１４１、および縦の折り線１４７により画定される上部グリップパネル１４３を含む。補助ハンドルフラップ１３３、１３７は３つの概して平行な折り線１４９、１５１を有し、カートン５のハンドル開口部を形成するのを促進する。図４、６、および７の通り、ハンドルフラップを押し、ハンドルフラップを内側へ折り畳み、カートン５に開口部１５７（図７）を形成することによって、ハンドル１１が機能するように、主要ハンドルフラップ１３１、補助ハンドルフラップ１３３、１３７、および強化フラップ１３９をブランク３に配置し、フラップが組み立てられたカートン５で折り重なる。カートン５を握る間ユーザの指を挿入するため、開口部１５７を形作る。折り重なるグリップパネル１４３および強化パネル１３９を、ハンドル開口部１５７に挿入される際、ユーザの手に快適に適合するように形作る。ハンドル１１はボトムパネル１０に実質的に垂直である端壁８３にあるため、十分な空間（例、距離Ｄ１）はカートン内のボトルＣから通常干渉されることなく、ユーザの指をハンドル開口部１５７およびカートン５内部へ挿入するため存在する。本発明の範囲を逸脱することなく、ハンドル１１のフラップ１３１、１３３、１３７、１３９は、その他の方法で形作られ配置され、ハンドルはその他の形態を有する様々なフラップ、パネル等を含む可能性があり、および／または単一ハンドルフラップはブランク３に形成されてもよいことを理解されたい。
【００２５】
典型的実施形態に従い、ブランク３は折り線２１、３１、４１、４７に沿って折り、第１のトップパネル１０を第２のトップパネル４６へ接着させ、スリーブを形成することより、カートン５を組み立てることができる。本発明の範囲を逸脱することなく、ブランク３をその他の方法で１つのトップパネルのみを有するよう形成してもよく、または１つより多いボトムパネルを有する可能性もあることを理解されたい。例示された実施形態において、容器Ｃをカートンに挿入後、終端フラップ１２、３２、４８、およびサイドフラップ２２、４２にそれぞれ重ね合わせ接着することにより、カートン５の第１の終端５１を閉じる。終端フラップ１４、３４、５０、およびサイドフラップ２４、４４をそれぞれ重ね合わせることにより、カートン５の第２の終端５３を閉じる。一度ブランク３をスリーブ内で形成すると、容器Ｃを第１の終端５１からカートン５に装荷してもよく、それから終端フラップ１２、３２、４８、およびサイドフラップ２２、４２を重ね合わせ接着することで、第１の終端を閉じてもよい。また、本発明から逸脱することなく、他の閉口および装荷順序を使用してもよい。
【００２６】
ボトルのボトムＢがボトムパネル３０により支持され、ボトルのトップ部Ｔが、折り重なる第１および第２のトップパネル１０、４６と接触または隣接するように、本発明のカートン５を、垂直位置でボトルＣを保持するように形成する。ボトムパネル３０は第１のトップパネル１０の幅Ｗ１よりも大きい幅Ｗ２を有するようになっており、各サイド壁の底部が、容器Ｃの底部Ｂ（図２）に接触するか近接するように、また、各サイド壁の上部が、容器のキャップＣＰに接触または近接するように、組み立てられたカートン５のサイド壁２０、４０は内側へ向かって傾けられている。カートン５のダイヤモンド形コーナー７０、７２によって、各サイド壁２０、４０の上部部分２０ａ、４０ａを内側へ曲げることができ、これにより、カートン５は、重なり合ったトップパネルと接触するその上部がボトムパネル３０と接触するその底部よりも狭くなっている。このようにカートン５の幅をボトムからトップへ狭めることにより、サイド壁２０、４０をボトルＣと２点で接触させ、ボトルのトップＴおよびボトムＢ両方を、比較的固定された位置で保持し、カートン内のボトルの動きを制限する。
【００２７】
また、ボトムパネル３０は、第１のトップパネル１０の長さＬ３よりも長い長さＬ４を有する。ボトムパネル３０よりも長い長さＬ４により、カートンの第１の終端５１で端壁８１を、本願に記載する態様で、カートン５の内部に向かって傾斜させることができる。
【００２８】
一典型的実施形態において、図１を参照することによって最もよく理解されるように、第１のトップパネル１０の幅Ｗ１は約６．１インチ（１５５ｍｍ）であり、ボトムパネル３０の幅Ｗ２は約７．３インチ（１８５ｍｍ）である。一般的には、トップパネル１０の幅Ｗ１の、ボトムパネル３０の幅Ｗ２に対する比は、約０．７から１に渡ることが可能であり、この比は通常、カートンに収納される容器Ｃの幾何形状に基づき、異なってもよい。
【００２９】
一典型的実施形態において、図１を参照し最もよく理解されるように、ボトムパネル３０の長さＬ４は約９〜３／４インチ（２４８ｍｍ）であり、第１のトップパネルの長さＬ３は約９インチ（２２９ｍｍ）である。一般的に、トップパネル１０の長さＬ３のボトムパネル３０の長さＬ４に対する比は、約０．７から１までに渡ることが可能であり、この比は通常、カートンに収納される容器Ｃの幾何形状に基づき、異なってもよい。
【００３０】
第１および第２のディスペンサーパネルを、切り取り線８９、９３に沿って分離することで、ディスペンサー５が開かれるように、第１のディスペンサーパネル８７および第２のディスペンサーパネル９１は組み立てられたカートン５に重ね合わせられる。図８の通り、典型的開口過程は、ディスペンサーパネル８７、９１を湾曲した切り取り線１０１、１２１に沿って引き裂くために、フィンガーパネル１１５、１１８を押圧し、フィンガーパネルを折り線１１４、１１６に沿って折り曲げることで開始することができる。フィンガーパネル１１５、１１８を内側に折り曲げた時点で、ディスペンサーパネル８７、９１を矢印Ａ３（図８）の方向に掴んで引き、カートン５を切り取り線８９、９３に沿って引き裂く。パネルを切り取り線８９、９３に沿って完全に引き裂くことにより、ディスペンサーパネル８７、９１をカートン５から除去してもよい。カートン５の開口部９５を介し容器を選択的に取り出すために、ディスペンサーパネル８７、９１を除去することにより、ユーザが掴むための容器のトップ部Ｔが露出するように、容器Ｃをカートン５内に垂直位置で配置する。ディスペンサー７を他の方法で、カートン５に収納される容器Ｃの様々なその他の大きさおよび形状に対応し、開口部のその他の大きさおよび部位を形成するように採寸してもよいことが考慮される。例えば、本発明の範囲を逸脱することなく、２つのディスペンサーパネル８７、９１、および２つの切り取り線８９、９３を単一のディスペンサーパネルおよび切り取り線と組み合わせるか、または交換することも可能性である。
【００３１】
図４、６、および７の通り、重なり合うハンドルフラップ１３１、１３３、１３７に対し圧力を加え、細長い開口部１５７をカートンの第２の終端５３にある端壁８３に形成することで、ハンドル１１を、カートン５を掴むために使用してもよい。カートン５を掴み運ぶため、ユーザの複数の指を細長い開口部１５７に置くことができるように、ハンドル１１を形作る。
【００３２】
典型的実施形態に従い、ハンドル１１の容易な使用を促進する点に関係すると特徴付けることができる機能部は、異なるいくつかの態様で説明することができる。例えば、第１の終端パネル上部縁と、第１の終端パネルの上部縁に隣接する複数の容器の容器ＣのトップＣＰとの間において第１の距離Ｄ２を画定するように、第１の終端パネル８１の少なくとも一部分は、第１の角度Ａ３（図５）でトップパネル１０から下方へ延在する。第２の終端パネルの上部縁と、第２の終端パネルの上部縁に隣接する複数の容器の隣接する容器ＣのトップＣＰとの間で第２の距離Ｄ１を画定するように、第２の終端パネル８３の少なくとも一部分は、第２の角度Ａ４でトップパネル１０から下方へ延在する。第２の距離Ｄ１が第１の距離Ｄ２よりも大きく、また、終端パネル８３のハンドル１１と、ハンドルに隣接する複数の容器の少なくとも１つの容器Ｃとの間で、ある距離（例えば、ほぼＤ１）が画定されるように、第２の角度Ａ４は第１の角度Ａ３よりも小さい。ハンドル１１と、少なくとも１つの隣接する容器Ｃとの間の距離は、ハンドル使用の容易さを促進させるためのものである。一実施形態において、第１の角度Ａ３は鈍角であり、第２の角度Ａ４は実質的に９０度である。
【００３３】
本発明に従うブランクは、例えば、コーティングされた板紙および類似の素材から形成することができる。例えば、ブランクの内部および／または外面は、クレーコーティングすることができる。次いで、クレーコーティングは、製品、広告、価格コード、およびその他の情報または画像をその上に印刷してもよい。それからブランクを、ブランクに印刷されるいずれの情報を保護するために、ニスでコーティングしてもよい。また、ブランクを、ブランクの片側または両側を、例えは防湿層でコーティングしてもよい。上述の実施形態に従い、ブランクは通常の紙よりも重く剛性が強くなるような厚みの板紙から構成されてもよい。ブランクは、また、ボール紙、硬化紙、またはカートンが本願に開示する通り少なくとも一般的な機能を果たすのに適する特性を有するいずれのその他の素材等、その他の素材からも構成することができる。ブランクはまた、選択されたパネルまたはパネルセクションに、シート状の素材を１枚以上積層またはコーティングすることもできる。
【００３４】
本発明の上述の実施形態に従い、折り線は必ずしも真っ直ぐでなくとも脆弱性を有する実質的には線形を成し、折り畳みを円滑にする。本発明の範囲を制限することを意図するものではないが、より具体的には、折り線は、望ましい弱化線に沿って素材に引き裂き部を形成する鋭くないスコアリングナイフ等を用いて形成された線のような切り込み線と、望ましい弱化線に沿って部分的に素材に延在する切り目と、および／または望ましい弱化線に沿って素材へ部分的におよび／または素材を介し完全に延在する切り目と、これらの機能部の組み合わせを含むことができる。
【００３５】
例えば、切り取り線は、望ましい弱化線に沿って部分的に素材に延在するスリット、ならびに／あるいは望ましい弱化線に沿って素材へ部分的におよび／または素材を介し完全に延在する一連の間隔の空いたスリット、またはこれら機能部の様々な組み合わせを含むことができる。より具体的な例として、刻み目（例えば、小さな若干橋状の一片の素材）を、通常切り取り線全体に渡り素材を一時的に接続するため、隣接するスリットの間に画定するように、ある種の切り取り線は、素材を介し完全に通り抜け延在する一連の間隔の空いたスリットの形態であり、隣接するスリットはわずかに間隔が空いている。刻み目は、切り取り線に沿って裂く間に破られる。刻み目は通常、切り取り線の比較的小さな割合であり、代替的には、切り取り線が連続した切れ目となるように、刻み目を切り取り線から省略するか、切り裂くことができる。すなわち、本発明の範囲から逸脱することなく、各切り取り線は連続したスリットなどと代替可能である。例えば、本発明から逸脱することなく、切れ目を連続したスリットにしたり、またはスリットよりも幅広に設定することも可能である。
【００３６】
上記の実施形態は、カートンの実施形態が組み立てられる際、のりでともに接着される１つ以上のパネルを有すると説明できる。「のり」という用語は、カートンパネルを適所に固定するために通常使用される接着剤全てを含むことを意図している。
【００３７】
本発明の実施形態に関する記述は、本発明の様々な実施形態を例示および説明する。本発明の範囲から逸脱することなく、様々な変更が上記構造内で行われうるため、上の説明に包含される、または付随する図面に示される全ての事柄は、制限する意味ではなく、例示として説明されるべきものであることを意図する。さらに、本発明の範囲は、請求項の範囲内である上述の実施形態の様々な変形、組み合わせ、変更等を網羅する。加えて、本願に示すような本発明の範囲内で、上記の教示に相応し、および／あるいは関連分野の技術または知識内で、本開示は本発明の選択された実施形態のみを示し説明するが、本発明は様々なその他の組み合わせ、変形、および環境で適用されてもよく、変更および変形がなされてもよい。さらに、本発明の範囲から逸脱することなく、各実施形態の一部の機能部および特徴は、本発明のその他の例示されるおよび例示されない実施形態と、選択的に入れ替え、適用してもよい。
【図面の簡単な説明】
【００３８】
【図１】本発明の第１の実施形態に従い、カートンを形成するために使用するブランクの平面図である。
【図２】組み立て閉じたカートンの斜視図である。
【図３】カートンの斜視図である。
【図４】カートンの端面図である。
【図５】カートンの側面図である。
【図６】図４に類似しているが、ハンドルが機能している状態を示す端面図である。
【図７】ハンドルが機能している状態を示す、カートン内部を透過した図である。
【図８】開いた立体配置でのディスペンサーパネルを示す斜視図である。
【図１】
2009523663.tif 000003
【図２】
2009523663.tif 000004
【図３】
2009523663.tif 000005
【図４】
2009523663.tif 000006
【図５】
2009523663.tif 000007
【図６】
2009523663.tif 000008
【図７】
2009523663.tif 000009
【図８】
2009523663.tif 000010
【手続補正書】
【提出日】平成20年9月17日(2008.9.17)
【手続補正１】
【補正対象書類名】明細書
【補正対象項目名】００３２
【補正方法】変更
【補正の内容】
【００３２】
典型的実施形態に従い、ハンドル１１の容易な使用を促進する点に関係すると特徴付け
ることができる機能部は、異なるいくつかの態様で説明することができる。例えば、第１
の終端パネル上部縁と、第１の終端パネルの上部縁に隣接する複数の容器の容器Ｃのトッ
プＣＰとの間において第１の距離Ｄ２を画定するように、第１の終端パネル８１の少なく
とも一部分は、第１の角度Ａ３（図５）でトップパネル１０から下方へ延在する。第２の
終端パネルの上部縁と、第２の終端パネルの上部縁に隣接する複数の容器の隣接する容器
ＣのトップＣＰとの間で第２の距離Ｄ１を画定するように、第２の終端パネル８３の少な
くとも一部分は、第２の角度Ａ４でトップパネル１０から下方へ延在する。第２の距離Ｄ
１が第１の距離Ｄ２よりも大きく、また、終端パネル８３のハンドル１１と、ハンドルに
隣接する複数の容器の少なくとも１つの容器Ｃとの間で、ある距離（例えば、ほぼＤ１）
が画定されるように、第２の角度Ａ４は第１の角度Ａ３よりも大きい。ハンドル１１と、
少なくとも１つの隣接する容器Ｃとの間の距離は、ハンドル使用の容易さを促進させるた
めのものである。一実施形態において、第１の角度Ａ３は９０度より小さく、第２の角度
Ａ４は実質的に９０度である。
【手続補正２】
【補正対象書類名】明細書
【補正対象項目名】００３０
【補正方法】変更
【補正の内容】
【００３０】
第１および第２のディスペンサーパネルを、切り取り線８９、９３に沿って分離するこ
とで、ディスペンサー５が広げられるように、第１のディスペンサーパネル８７および第
２のディスペンサーパネル９１は組み立てられたカートン５に重ね合わせる。図８の通り
、典型的開口過程は、ディスペンサーパネル８７、９１を湾曲した切り取り線１０１、１
２１に沿って裂くために、フィンガーパネル１１５、１１８に対し圧力をかけ、フィンガ
ーパネルを折り目１１４、１１６に沿って折り畳むことで開始することができる。フィン
ガーパネル１１５、１１８を内側に折り畳んだ時点で、ディスペンサーパネル８７、９１
を矢印Ａ５（図８）の方向に掴んで引き、カートン５を切り取り線８９、９３に沿って裂
く。パネルを切り取り線８９、９３に沿って完全に裂くことにより、ディスペンサーパネ
ル８７、９１をカートン５から除去してもよい。カートン５の開口部９５を介し容器を選
択的に取り出すために、ディスペンサーパネル８７、９１を除去することにより、ユーザ
が掴むための容器のトップ部Ｔが露出するように、容器Ｃをカートン５内に垂直位置で配
置する。ディスペンサー７を他の方法で、カートン５に収納される容器Ｃの様々なその他
の大きさおよび形状に対応し、開口部のその他の大きさおよび部位を形成するように採寸
してもよいことを考慮する。例えば、本発明の範囲を逸脱することなく、２つのディスペ
ンサーパネル８７、９１、および２つの切り取り線８９、９３を単一のディスペンサーパ
ネルおよび切り取り線と組み合わせるか、または交換することも可能性である。
【手続補正３】
【補正対象書類名】図面
【補正対象項目名】全図
【補正方法】変更
【補正の内容】
【図１】
2009523663.tif 000011
【図２】
2009523663.tif 000012
【図３】
2009523663.tif 000013
【図４】
2009523663.tif 000014
【図５】
2009523663.tif 000015
【図６】
2009523663.tif 000016
【図７】
2009523663.tif 000017
【図８】
2009523663.tif 000018
【手続補正４】
【補正対象書類名】特許請求の範囲
【補正対象項目名】全文
【補正方法】変更
【補正の内容】
【特許請求の範囲】
【請求項１】
複数の容器を収容するカートンであって、
前記カートン内部周辺に少なくとも部分的に延在する複数のパネルであって、トップパネルと、
前記カートンの向かい合う終端を、それぞれ少なくとも部分的に閉じる、向かい合う第１および第２の終端パネルと、
前記第２の終端パネルに配置され、前記カートンを運ぶ際に使用するためのハンドルと、を含む複数のパネル
を備え、
前記第１の終端パネルの少なくとも一部は、前記トップパネルから第１の角度で下方へ延在し、前記第１の終端パネルの上部縁と、前記第１の終端パネルの前記上部縁に隣接する前記複数の容器の上部との間に第１の距離が画定されていて、
前記第２の終端パネルの少なくとも一部は、前記トップパネルから第２の角度で下方へ延在し、前記第２の終端パネルの上部縁と、前記第２の終端パネルの前記上部縁に隣接する、前記複数の容器のうちの隣接する容器の上部との間で第２の距離が画定され、
前記第２の角度は前記第１の角度よりも大きく、前記第２の距離は前記第１の距離よりも大きく、
前記ハンドルと、前記ハンドルに隣接する前記複数の容器のうちの少なくとも１つの容器との間である距離が画定され、前記ハンドルと、前記少なくとも１つの隣接する容器との間の前記距離は、前記ハンドルの使用の容易さを促進するためのものである、カートン。
【請求項２】
前記ハンドルと、前記少なくとも１つの隣接する容器との間の前記距離は、前記第２の終端パネルの前記上部縁と、前記第２の終端パネルの前記上部縁に隣接する前記容器の上部との間で画定される、前記第２の距離にほぼ等しい、請求項１に記載の複数の容器を収容するカートン。
【請求項３】
前記第１の角度は９０度より小さく、
前記第２の角度が実質的に９０度であり、
前記複数のパネルがボトムパネルを含み、
前記第１の終端パネルが複数の第１のフラップを備え、
鋭角を、前記少なくとも１つの第１のフラップと、前記ボトムパネルとの間で確定するように、前記複数の第１のフラップのうちの少なくとも１つの第１のフラップは、前記ボトムパネルから前方へ延在し、
前記第２の終端パネルが複数の第２のフラップを備え、
実質的に９０度である角度を、前記少なくとも１つの第２のフラップと、前記ボトムパネルとの間で画定するように、前記複数の第２のフラップのうちの少なくとも１つの第２のフラップが、前記ボトムパネルから前方へ延在する、
請求項１に記載の複数の容器を収容するカートン。
【請求項４】
複数の品物を収容するカートンであって、
前記カートンの内部周辺に少なくとも部分的に延在する複数のパネルであって、トップパネルと、ボトムパネルと、第１のサイドパネルと、第２のサイドパネルと、を備える複数のパネルと、
前記複数のパネルのそれぞれのパネルにそれぞれ折り曲げ可能に取り付けられる、少なくとも２つの終端フラップであって、少なくとも部分的に前記カートンの閉口端を形成する終端フラップと、
前記カートン内の前記品物にアクセスすることができるディスペンサーであって、前記カートンの切り取り線により少なくとも部分的に画定されていて、前記閉口端のディスペンサー開口部を少なくともさらに広げるために、少なくとも部分的に取り除かれるようにされているディスペンサーパネルを備える、ディスペンサーと、を備え、該切り取り線は、該トップパネルに対して傾斜しておりサイドパネルの少なくとも一方に設けられており、
前記カートンの前記閉口端は、前記カートンの前記内部に向かって内側に曲がる端壁を備える、カートン。
【請求項５】
前記カートンの前記閉口端が上部および下部を有する端壁を備え、前記下部が第１の角度で前記カートンの前記内部に向かって内側に曲がり、前記上部が第２の角度で前記カートンの前記内部へ向かって内側に曲がる、請求項４に記載のカートン。
【請求項６】
前記第２の角度が前記第１の角度よりも大きい、請求項５に記載のカートン。
【請求項７】
前記終端が第１の終端であり、
前記終端フラップが、それぞれ互いに重なり合って前記第１の閉口端を形成する第１の終端フラップであり、
前記カートンが、それぞれ互いに重なり合って前記カートンの第２の閉口端を形成する前記複数のパネルのうち、それぞれのパネルにそれぞれ折り曲げ可能に取り付けられる少なくとも２つの第２の終端フラップをさらに備える、請求項４に記載のカートン。
【請求項８】
当該カートンを把持し搬送するためのハンドルを更に備え、前記第２の閉口端が、前記カートンの前記ボトムパネルに実質的に垂直である端壁を備え、前記ハンドルが、前記第２の終端フラップの少なくとも１つへ折り曲げ可能に取り付けられるハンドルフラップを備える、請求項７に記載のカートン。
【請求項９】
前記少なくとも２つの第２の終端フラップは、前記トップパネルへ折り曲げ可能に取り付けられるトップ終端フラップと、前記第１のサイドパネルへ折り曲げ可能に取り付けられる第１のサイド終端フラップと、前記第２のサイドパネルへ折り曲げ可能に取り付けられる第２のサイド終端フラップとを備え、前記ハンドルフラップは、前記トップ終端パネルに取り付けられる主要ハンドルパネルフラップであり、当該カートンは、前記第１のサイド終端フラップへ折り曲げ可能に取り付けられる第１の補助ハンドルフラップと、前記第２のサイド終端フラップへ折り曲げ可能に取り付けられる第２の補助ハンドルフラップと、を更に備える、請求項８に記載のカートン。
【請求項１０】
前記トップパネルは、第１のトップパネルであり、前記トップ終端フラップは、第１のトップ終端フラップであり、前記複数のパネルは、第２のトップパネルを備え、前記少なくとも２つの第２の終端フラップは、前記第２のトップパネルへ折り曲げ可能に取り付けられる第２のトップ終端フラップを備え、前記ハンドルは、前記第２のトップパネルへ折り曲げ可能に取り付けられる強化パネルを備える、請求項９に記載のカートン。
【請求項１１】
前記切り取り線は、前記第１および第２のサイドパネルとの間に延在する前記トップパネルの第１の部分と、前記第１のサイドパネルの第２の部分と、前記第２のサイドパネルの第３の部分と、を備え、前記切り取り線の前記第２および第３の部分のうちの少なくとも１つが、前記トップパネルに対して傾斜している、請求項４に記載のカートン。
【請求項１２】
前記切り取り線は、少なくとも２つの終端フラップのうちの１つに第４の部分と、少なくとも２つの終端フラップのうちの他方に第５の部分と、を備える、請求項１１に記載のカートン。
【請求項１３】
前記ディスペンサーパネルは、前記ディスペンサーパネルを掴み、前記ディスペンサーを広げるために、前記トップパネルへ折り曲げ可能に取り付けられるフィンガータブを備える、請求項４に記載のカートン。
【請求項１４】
複数の品物と組み合わせた、請求項４に記載のカートンであって、前記複数の品物は、前記ディスペンサーの前記ディスペンサー開口部を介し取り除くため、前記カートン内で垂直に配置されるボトルを備える、カートン。
【請求項１５】
前記トップパネルは前記ボトムパネルよりも狭い幅を有する、請求項４に記載のカートン。
【請求項１６】
前記トップパネルは前記ボトムパネルよりも短い長さを有する、請求項１５に記載のカートン。
【請求項１７】
前記第１のサイドパネルは、第１の下部へ折り曲げ可能に取り付けられる第１の上部を備え、前記第２のサイドパネルは、第２の下部へ折り曲げ可能に取り付けられる第２の上部を備える、請求項４に記載のカートン。
【請求項１８】
複数の品物を収容するカートンを形成するためのブランクであって、
トップパネルと、ボトムパネルと、第１のサイドパネルと、第２のサイドパネルと、を備える複数のパネルと、
前記複数のパネルのそれぞれのパネルにそれぞれ折り曲げ可能に取り付けられる少なくとも２つの終端フラップであって、前記ブランクから形成される前記カートンの閉口端を形成するための、前記終端フラップと、
前記ブランクの切り取り線により少なくとも部分的に画定され、前記ブランクから形成される前記カートンのディスペンサー開口部を少なくともさらに広げるために、少なくとも部分的に取り除かれるようにされていて、該切り取り線は、前記ブランクから形成される前記カートンにおける前記トップパネルに対して傾斜しており前記サイドパネル少なくとも一方における切り取り線部分を含む、ディスペンサーパネルと、を備え、
前記少なくとも２つの終端フラップは、前記ボトムパネルから前記トップパネルに内側へ曲がる端壁を形成するためのものである、ブランク。
【請求項１９】
前記少なくとも２つの終端フラップは、下部へ折り曲げ可能に取り付けられる上部をそれぞれ有し、前記下部は第１の角度で内側へ方向付けされており、前記上部は第２の角度で内側へ方向付けされており、該第２の角度が該第１の角度よりも大きい、請求項１８に記載のブランク。
【請求項２０】
前記終端は第１の終端であり、前記端壁は第１の端壁であり、
前記終端フラップは、前記ブランクから形成される前記カートンの前記第１の閉口端を形成するための第１の終端フラップであり、
前記ブランクは、前記ブランクから形成される前記カートンの第２の閉口端を形成するための前記複数のパネルのそれぞれのパネルに、それぞれ折り曲げ可能に取り付けられる少なくとも２つの第２の終端フラップをさらに備える、請求項１８に記載のブランク。
【請求項２１】
前記第２の終端フラップは、前記ボトムパネルに実質的に垂直である前記第２の終端で、閉口端壁を形成するためのものであり、当該ブランクは、前記第２の終端フラップのうちの少なくとも１つへ折り曲げ可能に取り付けられるハンドルフラップをさらに備える、請求項２０に記載のブランク。
【請求項２２】
前記少なくとも２つの第２の終端フラップは、前記トップパネルへ折り曲げ可能に取り付けられるトップ終端フラップと、前記第１のサイドパネルへ折り曲げ可能に取り付けられる第１のサイド終端フラップと、前記第２のサイドパネルへ折り曲げ可能に取り付けられる第２のサイド終端フラップと、を備え、前記ハンドルフラップは、前記トップ終端パネルに取り付けられる主要ハンドルパネルフラップであり、当該ブランクは、前記第１のサイド終端フラップへ折り曲げ可能に取り付けられる第１の補助ハンドルフラップと、前記第２のサイド終端フラップへ折り曲げ可能に取り付けられる第２の補助ハンドルフラップと、をさらに備える、請求項２１に記載のブランク。
【請求項２３】
前記トップパネルが第１のトップパネルであり、前記トップ終端フラップが第１のトップ終端フラップであり、前記複数のパネルが第２のトップパネルを備え、前記少なくとも２つの第２の終端フラップが、前記第２のトップパネルへ折り曲げ可能に取り付けられる第２のトップ終端フラップを備え、前記ブランクが前記第２のトップパネルへ折り曲げ可能に取り付けられるハンドル強化パネルをさらに備える、請求項２２に記載のブランク。
【請求項２４】
前記切り取り線は、前記第１および第２のサイドパネルとの間に延在する前記トップパネルに第１の部分と、前記第１のサイドパネルに第２部分と、前記第２のサイドパネルに第３の部分をと備え、前記切り取り線の前記第２および第３の部分のうちの少なくとも１つは、前記トップパネルに対し傾斜している、請求項１８に記載のブランク。
【請求項２５】
前記トップパネルは前記ボトムパネルよりも狭い幅を有し、前記トップパネルは前記ボトムパネルよりも短い長さを有する、請求項１８に記載のブランク。
【国際調査報告】
2009523663.tif 000019
2009523663.tif 000020
2009523663.tif 000021